(57)【要約】  【課題】破砕機能および鎮圧機能を容易に追加できる農作業機を提供する。  【解決手段】農作業機１は、回転しながら耕耘作業をするロータリ耕耘体16と、ロータリ耕耘体16の上方に配設した耕耘部カバー体21とを備える。農作業機１は、ロータリ耕耘体16の後方に配設した整地体26と、耕耘部カバー体21と整地体26との間に配設したフレーム体31とを備える。フレーム体31の整地体被取付部33には、整地体26を着脱可能に取り付ける。フレーム体31の刃体被取付部41には土破砕刃体42を取り付け、ローラ体被取付部52には鎮圧ローラ体56を取り付ける。  【選択図】図１
2005040092.tif 000002
【特許請求の範囲】
【請求項１】
所定方向に回転しながら耕耘作業をするロータリ耕耘体と、
このロータリ耕耘体の上方に配設された耕耘部カバー体と、
前記ロータリ耕耘体の後方に配設された整地体と、
前記耕耘部カバー体と前記整地体との間に配設され、前記整地体が着脱可能に取り付けられた整地体被取付部を有する着脱可能なフレーム体と、
このフレーム体に取り付けられた土破砕刃体と
を備えることを特徴とする農作業機。
【請求項２】
フレーム体に取り付けられ、回転可能なローラ部で鎮圧作業をする鎮圧ローラ体を備える
ことを特徴とする請求項１記載の農作業機。
【請求項３】
鎮圧ローラ体のローラ部は、圃場面部から力を受けて回転する接地輪からの動力に基づいて、その接地輪より速い回転速度で圃場面部に対してスリップ回転する
ことを特徴とする請求項２記載の農作業機。
【請求項４】
土破砕刃体は、フレーム体に対して着脱可能となっている
ことを特徴とする請求項１ないし３のいずれか一記載の農作業機。
【発明の詳細な説明】
【技術分野】
【０００１】
本発明は、新たな機能を容易に追加できる農作業機に関するものである。
【背景技術】
【０００２】
従来、例えば、所定方向に回転しながら耕耘作業をするロータリ耕耘体と、ロータリ耕耘体の上方に配設された耕耘部カバー体と、ロータリ耕耘体の後方に配設された整地体と、整地体を貫通した前後に振動可能な土破砕刃体とを備えた農作業機が知られている（例えば、特許文献１参照。）。
【特許文献１】特開昭５９−１１３８０３号公報
【発明の開示】
【発明が解決しようとする課題】
【０００３】
しかしながら、上記従来の農作業機には、土破砕刃体による破砕機能を追加するのに手間がかかり、破砕機能の追加が困難であるという問題があった。
【０００４】
本発明は、このような点に鑑みなされたもので、土破砕刃体による破砕機能を容易に追加できる農作業機を提供することを目的とする。
【課題を解決するための手段】
【０００５】
請求項１記載の農作業機は、所定方向に回転しながら耕耘作業をするロータリ耕耘体と、このロータリ耕耘体の上方に配設された耕耘部カバー体と、前記ロータリ耕耘体の後方に配設された整地体と、前記耕耘部カバー体と前記整地体との間に配設され、前記整地体が着脱可能に取り付けられた整地体被取付部を有する着脱可能なフレーム体と、このフレーム体に取り付けられた土破砕刃体と備えるものである。
【０００６】
そして、整地体被取付部を有するフレーム体を用いることにより、土破砕刃体による破砕機能を容易に追加することが可能である。
【０００７】
請求項２記載の農作業機は、請求項１記載の農作業機において、フレーム体に取り付けられ、回転可能なローラ部で鎮圧作業をする鎮圧ローラ体を備えるものである。
【０００８】
そして、土破砕刃体による破砕機能のみならず、鎮圧ローラ体による鎮圧機能も容易に追加することが可能である。
【０００９】
請求項３記載の農作業機は、請求項２記載の農作業機において、鎮圧ローラ体のローラ部は、圃場面部から力を受けて回転する接地輪からの動力に基づいて、その接地輪より速い回転速度で圃場面部に対してスリップ回転するものである。
【００１０】
そして、鎮圧ローラ体のローラ部がスリップ回転するため、鎮圧ローラ体にて効果的な鎮圧作業を行うことが可能である。
【００１１】
請求項４記載の農作業機は、請求項１ないし３のいずれか一記載の農作業機において、土破砕刃体は、フレーム体に対して着脱可能となっているものである。
【００１２】
そして、圃場の状況等に応じて土破砕刃体をフレーム体に対して簡単に着脱することが可能である。
【発明の効果】
【００１３】
請求項１記載の農作業機によれば、整地体被取付部を有するフレーム体を用いることにより、土破砕刃体による破砕機能を容易に追加できる。
【００１４】
請求項２記載の農作業機によれば、土破砕刃体による破砕機能のみならず、鎮圧ローラ体による鎮圧機能も容易に追加できる。
【００１５】
請求項３記載の農作業機によれば、鎮圧ローラ体のローラ部がスリップ回転するため、鎮圧ローラ体にて効果的な鎮圧作業ができる。
【００１６】
請求項４記載の農作業機によれば、圃場の状況等に応じて土破砕刃体をフレーム体に対して簡単に着脱できる。
【発明を実施するための最良の形態】
【００１７】
本発明の農作業機の一実施の形態を図面を参照して説明する。
【００１８】
図１および図２において、１は農作業機で、この農作業機１は、例えば走行車であるトラクタ（図示せず）に装着して使用する牽引式のものである。そして、この牽引式の農作業機１は、図示しないトラクタの走行により圃場Ｈを進行方向Ｘである前方に移動しながら、耕耘整地作業等を行うものである。
【００１９】
農作業機１は、トラクタの３点リンク部に連結された機枠２を備え、この機枠２は、左右方向に長手状の主フレーム部３を有している。
【００２０】
主フレーム部３の左右方向略中央部には、３点連結部４が設けられ、この３点連結部４にトラクタの３点リンク部が連結されている。３点連結部４は、トップピン５が先端部に取着された１本のトップマスト６と、ロワピン７が先端部に取着された左右２本のロワアーム８とにて構成されている。なお、各ロワアーム８の基端部（後端部）は、主フレーム部３の外周側に固着されたアーム被取付板部９に取り付けられている。
【００２１】
また、主フレーム部３の左右方向略中央部には、入力軸保持部（ギアボックス）10が設けられ、この入力軸保持部10にてトラクタからの動力を入力する入力軸11が回転可能に保持されている。そして、入力軸11には、トラクタのＰＴＯ軸がユニバーサルジョイントおよび伝動シャフト等を介して連結されている。
【００２２】
さらに、主フレーム部３の左右方向両端部からは、左右一対の側面フレーム部（ブラケットおよびチェーンケース）15が下方に向って突出している。
【００２３】
そして、両側面フレーム部15には、入力軸11からの動力に基づいて所定方向に回転しながら耕耘作業をするロータリ耕耘体16が回転可能に設けられ、このロータリ耕耘体16は機枠２の両側面フレーム部15間に配設されている。
【００２４】
ロータリ耕耘体16は、機枠２の両側面フレーム部15の下端部間に架け渡された左右方向の回転軸17と、この回転軸17の外周側から放射状に突出した複数のロータリ爪18とにて構成されている。
【００２５】
そして、ロータリ耕耘体16の上方には、ロータリ耕耘体16の回転により跳ね上げられる土の飛散を防止する略板状の耕耘部カバー体21がロータリ耕耘体16の上方部を覆うように配設されている。耕耘部カバー体21は、ロータリ耕耘体16の外周に略沿って湾曲したカバー板部22を有し、このカバー板部22の後端部には、整地体被取付部23が形成された取付用板部24が固着されている。
【００２６】
また、ロータリ耕耘体16の後方には、整地作業をする略板状の整地体（均平板）26が配設されている。整地体26は、上端側の左右方向の軸部27を中心として下端側が昇降するように上下回動可能となっている。
【００２７】
さらに、耕耘部カバー体21の後端部と整地体26の上端部との間には、左右方向に長手状をなす着脱可能なフレーム体31が配設されている。
【００２８】
フレーム体31は、例えば１本の角パイプにて構成され左右方向に長手方向を有する細長状の横長フレーム部32を有している。
【００２９】
横長フレーム部32からは、整地体被取付部33が形成された取付用板部34が後方に向って突出している。そして、この整地体被取付部33には、整地体26の上端部が取付具（ボルトおよびナット等）35にて着脱可能に取り付けられている（図１参照）。
【００３０】
また、横長フレーム部32からは、突出板部36が前上方に向って突出し、この突出板部36の先端部が機枠２のアーム被取付板部９に着脱可能に取り付けられている。すなわち、フレーム体31は、取付具（ボルトおよびナット等）37にて機枠２に着脱可能に取り付けられている。
【００３１】
さらに、横長フレーム部32からは、刃体被取付部41が下方に向って突出している。そして、この刃体被取付部41には、ロータリ耕耘体16と整地体26との間の位置においてロータリ耕耘体16と略同じ深度で破砕作業をする縦長状の土破砕刃体（サブソイラ）42が取付具（ボルトおよびナット等）43にて着脱可能に取り付けられている。土破砕刃体42は、略円弧状のアーム部（シャンク）44を有し、このアーム部44の下端部には、所望幅を有する略板状の刃部（チゼル）45が固着されている。なお、前下り傾斜状の刃部45は、左右方向に互いに隣接したロータリ爪18間に配設されている。
【００３２】
また一方、フレーム体31の横長フレーム部32の左右方向両端部には、サイドカバー部51が設けられているとともにローラ体被取付部52が設けられている。
【００３３】
そして、ローラ体被取付部52には、左右方向に長手状で回転可能なローラ部55によって整地体26の後方で鎮圧作業をする鎮圧ローラ体（転圧輪）56が連結板部53を介して着脱可能に取り付けられている。
【００３４】
鎮圧ローラ体56は、連結板部53に上端部が回動可能に連結された回動アーム部54を有し、この回動アーム部54の下端部には、左右方向の回転軸57を有するローラ部55が回転可能に設けられている。
【００３５】
そして、鎮圧ローラ体56のローラ部55は、トラクタの走行による前方への移動時において圃場Ｈの表面部つまり圃場面部Ｈ1から力を受けて回転する接地輪60からの動力に基づいて、その接地輪60より速い回転速度で圃場面部Ｈ1に対してスリップ回転するようになっている。
【００３６】
接地輪60は、回動アーム部54の下端部にローラ部55と同軸上に回転可能に設けられている。そして、この接地輪60は、図３に示すように、略円形状の環状部61を有し、環状部61の外周側には圃場面部Ｈ1に突き刺さる複数の突起部62が周方向に間隔をおいて突設され、環状部61の内周側にはギア部63が全周にわたって形成されている。
【００３７】
また、接地輪60の環状部61の内周側のギア部63には、ギア部材64が噛み合わされている。ギア部材64は、回動アーム部54にて回転自在に軸支された左右方向の軸部材65の一端部に固着され、軸部材65の他端部には一方のスプロケット66が固着されている。この一方のスプロケット66と離間対向した他方のスプロケット67はローラ部55の回転軸57に固着され、これら互いに離間対向した両スプロケット66，67に無端形状のチェーン68が巻き掛けられている。そして、ギア部63、ギア部材64、軸部材65、スプロケット66，67およびチェーン68等にて増速機構70が構成されている。
【００３８】
なお、鎮圧ローラ体56のローラ部55の高さ位置は、連結板部53および回動アーム部54間に架設された高さ位置調節手段71のハンドル部72の回動操作により調節可能となっている。
【００３９】
次に、上記農作業機１の作用等について説明する。
【００４０】
図４に示す破砕機能を有さない既存状態の農作業機（ロータリ作業機）１に、土破砕刃体42による破砕機能と鎮圧ローラ体56による鎮圧機能とを追加する場合、まず、整地体26を耕耘部カバー体21の整地体被取付部23から取り外す。
【００４１】
次いで、フレーム体31を機枠２のアーム被取付板部９に取り付けてから、フレーム体31の整地体被取付部33に取付具35を用いて整地体26を取り付ける。この結果、フレーム体31の横長フレーム部32が耕耘部カバー体21の後端部と整地体26の上端部との間に配設された状態となる。
【００４２】
その後、フレーム体31の刃体被取付部41に土破砕刃体42を取り付けるとともに、フレーム体31のローラ体被取付部52に鎮圧ローラ体56を連結板部53を介して取り付ける。そうすると、図１に示すような破砕機能および鎮圧機能が追加された農作業機１となる。
【００４３】
そして、この新たな機能を付加した農作業機１をトラクタの前進走行により前方に移動させると、圃場Ｈの土は、ロータリ耕耘体16にて耕耘されるとともに土破砕刃体42にて破砕され、その後、整地体26にて整地されてから、鎮圧ローラ体56のローラ部55にて鎮圧される。このとき、鎮圧ローラ体56のローラ部55は、接地輪60からの動力を増速機構70を介して受けてスリップ回転しながら、所望の鎮圧作業をする。
【００４４】
なお、圃場（畑、水田等）Ｈの状況等に応じて、土破砕刃体42をフレーム体31の刃体被取付部41から取り外したり、鎮圧ローラ体56をフレーム体31のローラ体被取付部52から取り外したりできる。
【００４５】
また、図４に示す既存状態の農作業機１に戻す場合には、例えば機枠２からフレーム体31を取り外すとともに、このフレーム体31の整地体被取付部33から整地体26を取り外し、次いで、この取り外した整地体26を耕耘部カバー体21の整地体被取付部23に付け直す。
【００４６】
このように、上記一実施の形態の農作業機１によれば、少なくとも整地体被取付部33、刃体被取付部41およびローラ体被取付部52を有するフレーム体31を用いることにより、既存状態の農作業機１に対して土破砕刃体42による破砕機能を容易に追加できるとともに鎮圧ローラ体56による鎮圧機能を容易に追加することができ、また、簡単に既存状態の農作業機１に戻すこともできる。
【００４７】
また、鎮圧ローラ体56のローラ部55が接地輪60からの動力に基づいてスリップ回転するため、鎮圧ローラ体56にて効果的な鎮圧作業ができ、圃場面部Ｈ1を硬く固めることができる。よって、圃場面部Ｈ1を播種、移植等の後作業に適した状態にすることができる。
【００４８】
なお、図示しないが、施肥播種装置或いは土壌消毒機等をフレーム体31に着脱可能に取り付けることができるようにしてもよい。そして、この場合、例えば施肥播種装置或いは土壌消毒機等の駆動部（例えば繰出し軸等）への動力を接地輪60側から伝達する構成としてもよい。
【００４９】
また、フレーム体31へ取り付ける土破砕刃体42の取付位置、数および形状等は任意であり、例えば下端側の刃部45が土中を移動する土破砕刃体42を左右両側に２本取り付けるようにしてもよく、左右方向中央に１本だけ取り付けるようにしてもよい。また、ロータリ爪18を保護して折損を防止できるよう土破砕刃体42がロータリ耕耘体16と略同じ深度で破砕作業をするようにしてもよく、心土層や耕盤層を適切にやわらかくできるよう土破砕刃体42がロータリ耕耘体16より深い位置で破砕作業をするようにしてもよい。
【図面の簡単な説明】
【００５０】
【図１】本発明の農作業機の一実施の形態の側面図である。
【図２】同上農作業機の部分背面図である。
【図３】同上農作業機の接地輪の側面図である。
【図４】既存の農作業機に戻した状態の部分断面図である。
【符号の説明】
【００５１】
１    農作業機
16    ロータリ耕耘体
21    耕耘部カバー体
26    整地体
31    フレーム体
33    整地体被取付部
42    土破砕刃体
55    ローラ部
56    鎮圧ローラ体
60    接地輪
Ｈ1   圃場面部
【図１】
2005040092.tif 000003
【図２】
2005040092.tif 000004
【図３】
2005040092.tif 000005
【図４】
2005040092.tif 000006